【手続補正書】
【提出日】平成19年1月11日(2007.1.11)
【手続補正１】
【補正対象書類名】特許請求の範囲
【補正対象項目名】全文
【補正方法】変更
【補正の内容】
【特許請求の範囲】
【請求項１】
コア部と、このコア部を取り囲むクラッド部とを有し、前記コア部および前記クラッド部の少なくとも一方に、軸心方向に延びる中空部を設けると共に、前記中空部を塞ぐ封止部が端部に設けられた光ファイバであって、
前記封止部が設けられた光ファイバの端部はコネクタのフェルールの穴内に挿入して固定され、且つ、前記光ファイバの端部が研磨されていることを特徴とする光ファイバ。
【請求項２】
前記封止部は、前記光ファイバの端部を加熱して前記クラッド部を軟化させることで、前記中空部が塞がれた状態で形成されていることを特徴とする請求項１記載の光ファイバ。
【請求項３】
前記封止部は、前記中空部内に硬化性物質を入れ、前記硬化性物質を硬化させることで形成されていることを特徴とする請求項１記載の光ファイバ。
【請求項４】
コア部と、このコア部を取り囲むクラッド部とを有し、前記コア部および前記クラッド部の少なくとも一方に、軸心方向に延びる中空部を設けると共に、前記中空部を塞ぐ封止部が端部に設けられた光ファイバであって、
前記コア部はドーパントが添加された石英ガラスで形成され、前記クラッド部は石英ガラスで形成されて、前記コア部の屈折率が前記クラッド部の屈折率よりも高くなっており、
前記クラッド部における前記コア部の周囲に前記中空部が複数形成され、
前記封止部を形成する硬化性物質の屈折率が、前記クラッド部を形成する材質の屈折率と同等又はそれより低いことを特徴とする光ファイバ。
【請求項５】
コア部と、このコア部を取り囲むクラッド部とを有し、前記コア部および前記クラッド部の少なくとも一方に、軸心方向に延びる中空部を設けると共に、前記中空部を塞ぐ封止部が端部に設けられた光ファイバであって、
前記コア部はドーパントが添加された石英ガラスで形成され、前記クラッド部は石英ガラスで形成されて、前記コア部の屈折率が前記クラッド部の屈折率よりも高くなっており、
前記クラッド部における前記コア部の周囲に前記中空部が複数形成され、
前記封止部は、光ファイバの端部を加熱して前記クラッド部を軟化させることで、前記中空部が塞がれた状態で形成されていることを特徴とする光ファイバ。
【請求項６】
前記光ファイバの端部には、コネクタ加工が施されていることを特徴とする請求項４又は５に記載された光ファイバ。
【手続補正２】
【補正対象書類名】明細書
【補正対象項目名】発明の名称
【補正方法】変更
【補正の内容】
【発明の名称】光ファイバ
【手続補正３】
【補正対象書類名】明細書
【補正対象項目名】０００１
【補正方法】変更
【補正の内容】
【０００１】
本発明は、軸心方向に延びる中空部を有する光ファイバに関するものである。
【手続補正４】
【補正対象書類名】明細書
【補正対象項目名】０００４
【補正方法】変更
【補正の内容】
【０００４】
しかしながら、上記従来技術においては、光ファイバの中空部分の保護について全く考慮されていないため、損失増加等といった光特性の劣化を招く可能性がある。また、光ファイバの中空部が開口した状態で、コネクタ加工等のための光ファイバの端面研磨等を行うと、中空部で光ファイバが破損する可能性がある。
【手続補正５】
【補正対象書類名】明細書
【補正対象項目名】０００５
【補正方法】変更
【補正の内容】
【０００５】
本発明の目的は、光特性の劣化を低減することができる端部構造を備えた光ファイバを提供することである。さらに本発明は、コネクタ加工等ための端面加工時における光ファイバの破損を防止することを目的とする。
【手続補正６】
【補正対象書類名】明細書
【補正対象項目名】０００６
【補正方法】変更
【補正の内容】
【０００６】
本発明は、コア部と、このコア部を取り囲むクラッド部とを有し、コア部およびクラッド部の少なくとも一方に、軸心方向に延びる中空部を設けると共に、前記中空部を塞ぐ封止部が端部に設けられた光ファイバであって、前記封止部が設けられた光ファイバの端部はコネクタのフェルールの穴内に挿入して固定され、且つ、前記光ファイバの端部が研磨されていることを特徴とするものである。
【手続補正７】
【補正対象書類名】明細書
【補正対象項目名】００１２
【補正方法】変更
【補正の内容】
【００１２】
また、好ましくは、光ファイバの端部はコネクタのフェルールの穴内に挿入して固定されコネクタ加工が施されている。これにより、光ファイバ同士の接続が容易に行える。このとき、中空部を有していない通常の光ファイバとの接続も勿論可能である。コネクタ加工として、光ファイバの端部を研磨したコネクタ加工とする。
【手続補正８】
【補正対象書類名】明細書
【補正対象項目名】００１３
【補正方法】変更
【補正の内容】
【００１３】
さらに、好ましくは、封止部及びコネクタ加工は、光ファイバの両端部に設けられている。これにより、中空部に異物等が侵入することがより低減されるため、光損失の増大等といった光特性の劣化を更に低減することができる。
【手続補正９】
【補正対象書類名】明細書
【補正対象項目名】００１４
【補正方法】変更
【補正の内容】
【００１４】
また、本発明の光ファイバは、コア部と、このコア部を取り囲むクラッド部とを有し、コア部およびクラッド部の少なくとも一方に、軸心方向に延びる中空部を設けると共に、前記中空部を塞ぐ封止部が端部に設けられた光ファイバであって、前記コア部はドーパントが添加された石英ガラスで形成され、前記クラッド部は石英ガラスで形成されて、前記コア部の屈折率が前記クラッド部の屈折率よりも高くなっており、前記クラッド部における前記コア部の周囲に前記中空部が複数形成され、前記封止部を形成する硬化性物質の屈折率が、前記クラッド部を形成する材質の屈折率と同等又はそれより低いことを特徴とする。
また、本発明の光ファイバは、コア部と、このコア部を取り囲むクラッド部とを有し、前記コア部および前記クラッド部の少なくとも一方に、軸心方向に延びる中空部を設けると共に、前記中空部を塞ぐ封止部が端部に設けられた光ファイバであって、前記コア部はドーパントが添加された石英ガラスで形成され、前記クラッド部は石英ガラスで形成されて、前記コア部の屈折率が前記クラッド部の屈折率よりも高くなっており、前記クラッド部における前記コア部の周囲に前記中空部が複数形成され、前記封止部は、光ファイバの端部を加熱して前記クラッド部を軟化させることで、前記中空部が塞がれた状態で形成されていることを特徴とする。
前記光ファイバの端部には、コネクタ加工が施されていることが好ましい。
【手続補正１０】
【補正対象書類名】明細書
【補正対象項目名】００１５
【補正方法】変更
【補正の内容】
【００１５】
このように光ファイバの端部に中空部を塞ぐ封止部を設けることにより、中空部に異物等が侵入することが低減されるため、光損失の増大等といった光特性の劣化を低減することができる。また、光ファイバの端面加工時に、中空部で光ファイバが破損することを防止できる。また、中空部の封止に伴う光伝送特性への影響を軽減することができる。
【手続補正１１】
【補正対象書類名】明細書
【補正対象項目名】００１６
【補正方法】変更
【補正の内容】
【００１６】
本発明によれば、光ファイバの端部に、中空部を塞ぐ封止部を設けたので、中空部への異物等の侵入が低減され、これにより光特性の劣化を低減することができる。また、光ファイバの端面研磨等のコネクタ加工時における光ファイバの破損を防止することができる。また、光ファイバ同士の接続や中空部を備えない光ファイバとの接続が容易に行える、中空部の封止に伴う光伝送特性への影響を軽減することができる、等の効果がある。
【手続補正１２】
【補正対象書類名】明細書
【補正対象項目名】００１７
【補正方法】変更
【補正の内容】
【００１７】
以下、本発明に係わる光ファイバの好適な実施形態について図面を参照して説明する。